(57)【要約】【課題】読取対象文書の全体のイメージデータを生成する場合に、分割してスキャンしたイメージデータを容易に結合できるようにする。【解決手段】読取対象文書３１を複数回に分けてスキャンする場合に、透明のシートに位置を示す位置情報がドロップアウトカラーで記載されたカバーシート３２に読取対象文書３１を固定し、スキャナ１９でドロップアウトカラーを含む複合画像およびその複合画像に対応するドロップアウトカラーを含まない原稿画像を複数回に分けて読み取る。文字認識部１２は、複合画像から抽出した位置情報に基づいて、その複合画像と同じ位置をドロップアウトカラーを含まないように読み取った原稿画像の位置として特定する。その後、データ結合部１３は、複数の原稿画像を特定した位置にそれぞれ配置して結合し、読取対象文書３１の全体のイメージデータを生成する。【選択図】図１
2010068381.tif 000002
【特許請求の範囲】
【請求項１】
読取対象文書を複数の小部分に分割してスキャンし、この読取対象文書の全体のイメージデータを生成する文書読取方法において、
透明のシートに前記小部分の各位置を示す位置情報がドロップアウトカラーで記載されて前記読取対象文書の全体をカバーするカバーシートを前記読取対象文書に重ね合わせて相互に固定する準備工程と、
前記カバーシートに固定された前記読取対象文書の前記小部分のそれぞれについて前記ドロップアウトカラーを含む複合画像およびその複合画像に対応する前記ドロップアウトカラーを含まない原稿画像を前記スキャナで読み取る分割スキャン工程と、
前記小部分それぞれについて前記複合画像から前記位置情報を抽出し、その複合画像から抽出した前記位置情報に基づいてその複合画像と同じ位置を前記スキャナで前記ドロップアウトカラーを含まないように読み取った原稿画像の位置として特定する位置特定工程と、
複数の前記小部分の原稿画像を特定した位置にそれぞれ配置して前記複数の小部分を結合し、前記読取対象文書の全体のイメージデータを生成するイメージ結合工程と、
を有することを特徴とする文書読取方法。
【請求項２】
前記位置特定工程は、前記複合画像から２以上の前記位置情報を抽出した場合にそれらの前記位置情報の平均を前記原稿画像の位置として特定する工程を含むことを特徴とする請求項１に記載の文書読取方法。
【請求項３】
前記位置特定工程は、前記複合画像から３以上の前記位置情報を抽出した場合に他の前記位置情報から特定される前記原稿画像の位置に対して所定の大きさ以上離れた位置を特定する前記位置情報を前記原稿画像の位置の特定に用いないことを特徴とする請求項１または請求項２に記載の文書読取方法。
【請求項４】
前記位置特定工程は、前記複合画像から２以上の前記位置情報を抽出した場合にそれらの前記位置情報に基づいて前記原稿画像の傾きを補正する工程を含むことを特徴とする請求項１ないし請求項３のいずれか１項に記載の文書読取方法。
【請求項５】
読取対象文書を複数の小部分に分割してスキャンし、この読取対象文書の全体のイメージデータを生成する文書読取システムにおいて、
透明のシートに前記小部分の各位置を示す位置情報がドロップアウトカラーで記載されて前記読取対象文書の全体をカバーするカバーシートと、
前記ドロップアウトカラーを含む画像と前記ドロップアウトカラーを含まない画像とを読み取り可能なスキャナと、
前記カバーシートに重ね合わされて固定された前記読取対象文書の前記小部分のそれぞれについて前記スキャナで前記ドロップアウトカラーとともに読み取った複合画像から前記位置情報を抽出し、その複合画像から抽出した前記位置情報に基づいてその複合画像と同じ前記小部分を前記スキャナで前記ドロップアウトカラーを含まないように読み取った原稿画像の位置として特定する位置特定部と、
複数の前記小部分の原稿画像を特定した位置にそれぞれ配置して前記複数の小部分を結合し、前記読取対象文書の全体のイメージデータを生成するするデータ結合部と、
を有することを特徴とする文書読取システム。
【発明の詳細な説明】
【技術分野】
【０００１】
本発明は、読取対象文書を複数回に分けてスキャンし、この読取対象文書の全体のイメージデータを生成する文書読取方法および文書読取システムに関する。
【背景技術】
【０００２】
ペーパーレス化に伴い、紙文書として存在する資料を電子化する試みがしばしば見受けられる。しかし、紙文書の大きさは様々であり、特にスキャナが読取可能な大きさを越える文書に関しては、ユーザが分割して読み取った後、イメージを加工して一枚のイメージにするなどの作業が別途必要である。そこで、たとえば特許文献１には、スキャナの最大スキャン範囲を超える文書原稿をスキャンする場合に、分割してスキャンする方法が開示されている。
【特許文献１】特開２００８−６０６６６号公報
【発明の開示】
【発明が解決しようとする課題】
【０００３】
スキャナの最大スキャン範囲より大きい文書をスキャンしてイメージデータを得るために、その文書を折るなどして複数回に分けてスキャンし、それぞれのイメージを手作業でつなぎ合わせることが行われていた。この方法は、手作業を含むため、イメージの結合部分がずれやすく、結合点を特定するために労力を要した。また、必要なイメージを取り終えているかは、手作業により確認する必要があった。
【０００４】
また、文書の種類や重要度によっては、その文書を折り曲げることができない場合がある。更に、文書に印を記載したり、紙を貼付する方法では、結合点の特定を容易にすることができるが、文書によっては印を記載したり、紙などを添付することができない場合もある。そして、位置の特定のために、紙を貼付した場合には、作業の途中ではがれるおそれもある。
【０００５】
特許文献１に開示された方法では、文書のどの部分をスキャンするかを明示的に選択する必要があり、イメージの結合部分は実質的には手作業で特定することとなる。このため、手作業で結合点を特定するのと同じ労力を要する。
【０００６】
そこで、本発明は、読取対象文書の全体のイメージデータを生成するために読取対象文書を複数回に分けてスキャンする必要がある場合に、分割してスキャンしたイメージデータを容易に結合できるようにすることを目的とする。
【課題を解決するための手段】
【０００７】
上述の課題を解決するため、本発明は、読取対象文書を複数の小部分に分割してスキャンし、この読取対象文書の全体のイメージデータを生成する文書読取方法において、透明のシートに前記小部分の各位置を示す位置情報がドロップアウトカラーで記載されて前記読取対象文書の全体をカバーするカバーシートを前記読取対象文書に重ね合わせて相互に固定する準備工程と、前記カバーシートに固定された前記読取対象文書の前記小部分のそれぞれについて前記ドロップアウトカラーを含む複合画像およびその複合画像に対応する前記ドロップアウトカラーを含まない原稿画像を前記スキャナで読み取る分割スキャン工程と、前記小部分それぞれについて前記複合画像から前記位置情報を抽出し、その複合画像から抽出した前記位置情報に基づいてその複合画像と同じ位置を前記スキャナで前記ドロップアウトカラーを含まないように読み取った原稿画像の位置として特定する位置特定工程と、複数の前記小部分の原稿画像を特定した位置にそれぞれ配置して前記複数の小部分を結合し、前記読取対象文書の全体のイメージデータを生成するイメージ結合工程と、を有することを特徴とする。
【０００８】
また、本発明は、読取対象文書を複数の小部分に分割してスキャンし、この読取対象文書の全体のイメージデータを生成する文書読取システムにおいて、透明のシートに前記小部分の各位置を示す位置情報がドロップアウトカラーで記載されて前記読取対象文書の全体をカバーするカバーシートと、前記ドロップアウトカラーを含む画像と前記ドロップアウトカラーを含まない画像とを読み取り可能なスキャナと、前記カバーシートに重ね合わされて固定された前記読取対象文書の前記小部分のそれぞれについて前記スキャナで前記ドロップアウトカラーとともに読み取った複合画像から前記位置情報を抽出し、その複合画像から抽出した前記位置情報に基づいてその複合画像と同じ前記小部分を前記スキャナで前記ドロップアウトカラーを含まないように読み取った原稿画像の位置として特定する位置特定部と、複数の前記小部分の原稿画像を特定した位置にそれぞれ配置して前記複数の小部分を結合し、前記読取対象文書の全体のイメージデータを生成するするデータ結合部と、を有することを特徴とする。
【発明の効果】
【０００９】
本発明によれば、読取対象文書の全体のイメージデータを生成するために読取対象文書を複数回に分けてスキャンする必要がある場合に、分割してスキャンしたイメージデータを容易に結合できる。
【発明を実施するための最良の形態】
【００１０】
本発明に係る分割スキャン方法の一実施の形態を、図面を参照して説明する。なお、同一または類似の構成には同一の符号を付し、重複する説明は省略する。また、この実施の形態は単なる例示であり、本発明はこれに限定されない。
【００１１】
図１は、本発明に係る分割スキャン方法の一実施の形態における図面読取システムのブロック図である。
【００１２】
本実施の形態の図面読取システムは、読取対象文書３１を複数の小部分に分割してスキャンし、この読取対象文書の全体のイメージデータを作成する。読取対象文書３１は、カバーシート３２に固定されてスキャンされる。
【００１３】
また、図面読取システムは、本体１０、操作画面１１、一時記憶部１８およびスキャナ１９を備えている。本体１０は、文字認識部１２、データ結合部１３、ファイル作成部１４、ユーザＩＦ作成部１５、スキャナ制御部１６およびイベント制御部１７を備えている。
【００１４】
操作画面１１は、この図面読取システムとユーザとの間のインターフェースである。ユーザは、操作画面１１に表示されたユーザインターフェースを操作することによって、図面読取システムに指示を与えることができる。操作画面１１とは、たとえばタッチパネルを有した表示画面である。また、操作画面１１は、液晶ディスプレイなどのディスプレイ装置とそのディスプレイ装置に表示されるポインタを移動、クリックさせるマウスなどの入力手段を組み合わせたものでもよい。
【００１５】
ユーザＩＦ作成部１５は、操作画面１１に表示する画像を作成する。イベント制御部１７は、各イベントの制御を行う。
【００１６】
スキャナ１９は、読取窓２３を備えていて、その読取窓２３の上に配置された文書の画像を読み取り、イメージデータとして出力する。スキャナ１９は、たとえば２種類の光源を備えていて、ドロップアウトカラーを含む画像とドロップアウトカラーを含まない画像とを読み取り可能に形成されている。ドロップアウトカラーとは、スキャナでの読み込み時にイメージとして現れない色である。たとえば読取対象文書３１が白黒のモノクロ画像の場合には、ドロップアウトカラーを緑とすることができる。スキャナ制御部１６は、スキャナ１９を制御し、スキャナ１９から出力されるイメージデータを取得する。
【００１７】
ファイル作成部１４は、スキャンされたイメージデータの一時ファイルを作成する。この一時ファイルは、一時記憶部１８に保存される。一時記憶部１８とは、たとえばハードディスク上の領域である。データ結合部１３は、スキャナ１９によって読み取られた複数のイメージデータを結合する。文字認識部１２は、イメージデータ中の文字を認識し、その文字の画像中での位置を特定する。
【００１８】
図２は、本実施の形態におけるフローチャートである。
【００１９】
本実施の形態の分割スキャン方法は、準備工程Ｓ１、分割スキャン工程Ｓ２、位置特定工程Ｓ３およびイメージ結合工程Ｓ４を順次行うものである。準備工程Ｓ１では、ユーザが分割スキャンのための準備をする。
【００２０】
図３は、本実施の形態におけるカバーシートを読取対象原稿とともに示す斜視図である。図４は、本実施の形態におけるカバーシートの一部拡大平面図である。図５は、本実施の形態におけるカバーシートに読取対象文書を挟んで固定した状態の平面図である。図６は、本実施の形態におけるカバーシートに読取対象文書を挟んで固定した状態の断面図である。
【００２１】
ユーザは、分割スキャンのための準備として、スキャンしようとする読取対象文書３１をカバーシート３２に固定する。カバーシート３２は、読取対象文書３１の全体を覆うことができるように、読取対象文書３１よりも大きいものを用いる。
【００２２】
カバーシート３２は、透明なシート３３，３４を二層に重ねて一辺３５が貼り合わされたものである。カバーシート３２の一方の透明なシート３４には、ドロップアウトカラーで格子状の位置情報３７が記されている。位置情報３７とは、一定間隔の幅で描かれた格子３９と、その格子一つ一つの中に記載された文字認識可能な位置を表す識別子３８である。識別子３８としては、行の位置をアルファベット、列の位置を数字で記した「Ａ１」、「Ｂ２」などを用いる。この位置情報３７によって、分割してスキャンされる読取対象文書３１の小部分の各位置が特定される。
【００２３】
ユーザは、読取対象文書３１を矢印４０の方に移動させて、カバーシート３２の二層の透明なシート３３，３４の間に配置し、透明なシート３３，３４を閉じることによって、読取対象文書３１をカバーシート３２に固定する。また、カバーシート３２の貼り合わされた一辺３５と向かい合う辺には、固定具３６が設けられている。ユーザは、固定具３６を用いてカバーシート３２の貼り合わされた一辺３５の反対側の辺を固定することにより、読取対象文書３１とカバーシート３２がずれないようにする。ここでは、固定具３６を用いているが、粘着性を持つカバーシート３２など、読取対象文書３１とカバーシート３２との相対的な位置がずれないような手段であれば他の手法でも良い。
【００２４】
図７は、本実施の形態における分割スキャン工程のフローチャートである。
【００２５】
分割スキャン工程Ｓ２では、ユーザの指示により図面読取システムが読取対象文書３１を複数回に分けてスキャンする。まず、ユーザは、カバーシート３２ではさんだ読取対象文書３１をスキャナ１９の原稿台へ載せる（工程Ｓ２１）。読取対象文書３１はスキャナ１９の読取窓２３より大きいため、読取窓２３から読み取ることができるのは読取対象文書３１の一部である。
【００２６】
その後、ユーザは、操作画面１１に触ることなどにより図面読取システムに図面読取を指示する（工程Ｓ２２）。図面読取が指示されると、図面読取システムのスキャナ制御部１６は、まずスキャナ１９にドロップアウトカラーを含むイメージデータを取得させる（工程Ｓ２３）。その直後、スキャナ制御部１６は、光源の波長（色）を変えてドロップアウトカラーを含まないイメージデータを取得する（工程Ｓ２４）。これにより、図面読取システムは、読取対象文書３１の同一の領域についてドロップアウトカラーを含むイメージデータおよびドロップアウトカラーを含まないイメージデータを読み取ることができる。ここで、ドロップアウトカラーを含むイメージデータを複合画像、ドロップアウトカラーを含まないイメージデータを原稿画像と呼ぶこととする。なお、原稿画像を複合画像よりも先に読み取ってもよい。
【００２７】
読取対象文書３１の同一の領域に対して取得した複合画像および原稿画像は、ファイル作成部１４によって、互いに関連付けられて一時記憶部１８に一時ファイルとして保存される（工程Ｓ２５）。複合画像と原稿画像は、たとえばファイル名によって関連付けられる。ファイル名による関連付けのためには、たとえば複合画像のファイル名を＜システム時刻＞_＜連番＞_D.bmpとし、原稿画像のファイル名を＜システム時刻＞_＜連番＞_N.bmpとしておくとよい。
【００２８】
読取対象文書３１のある領域に対して複合画像および原稿画像を取得し、一時ファイルの保存が完了すると、図面読取システムは、ユーザＩＦ作成部１５によって作成された画像を操作画面１１に表示して、ユーザに対して図面読取完了を通知する（工程Ｓ２６）。図面読取完了が通知されたら、ユーザは読取対象文書３１の全体のスキャンが完了したか否かを判断する（工程Ｓ２７）。読取対象文書３１の全体のスキャンが完了していない場合、ユーザは読取対象文書３１をスキャナ１９の読取窓に対して移動させ（工程Ｓ２８）て、再び図面読取を指示する（工程Ｓ２２）。読取対象文書３１の全体のスキャンが完了している場合、位置特定工程Ｓ３に進む。このようにして、読取対象文書３１を複数の小部分に分割してスキャンし、これらの小部分が読取対象文書３１の全体に及ぶまで、工程Ｓ２２ないし工程Ｓ２７を繰り返す。
【００２９】
図８は、本実施の形態における位置特定工程のフローチャートである。
【００３０】
位置特定工程Ｓ３では、図面読取システムの文字認識部１２がスキャンしたそれぞれの小部分の位置を取得する。まず、ユーザは、マウス２２を用いて図面読取システムに図面結合を指示する（工程Ｓ３１）。文字認識部１２は、複合画像に含まれる格子内の位置を表す識別子３８を文字認識し（工程Ｓ３２）、その複合画像が図面全体のどの位置に相当するか特定する（工程Ｓ３３）。次に、すべての複合画像の位置の特定が完了したか否かを判定し（工程Ｓ３４）、完了するまで工程Ｓ３２および工程Ｓ３３を繰り返す。
【００３１】
図９は、本実施の形態におけるカバーシートに記載された位置情報の拡大平面図である。
【００３２】
文字認識には、たとえば画像データファイルを与えると、一群の文字列ごとに認識した文字列とその文字列の位置を返すＯＣＲ制御パッケージを用いることができる。この場合、たとえば、そのパッケージは、図９に示す画像データファイルを与えると文字列「Ｂ２」を認識し、そのレイアウト領域４１の座標を返す。「Ｂ２」は、識別子３８のうちの一つであるから、この文字列は識別子３８であることが分かる。
【００３３】
また、レイアウト領域４１の座標は、左上の座標（ｘｓ，ｙｓ）と、レイアウト領域４１の幅ｗ、および、高さｈで表される。識別子３８の位置は、たとえばレイアウト領域４１の中心とする。つまり、「Ｂ２」という識別子３８の位置は、（ｘｓ＋ｗ／２，ｙｓ＋ｈ／２）とする。このようにして得られた識別子３８の複合画像上の位置を用いて、その複合画像およびそれに対応する原稿画像の読取対象文書上での位置を特定する。
【００３４】
図面読取システムは、カバーシート３２に記載されたそれぞれの識別子３８のカバーシート３２上での位置を、大きな用紙サイズごと記憶している。ここで、この用紙サイズは、スキャナ１９の読取窓２３で一度にスキャンできる範囲よりも大きいものとする。
【００３５】
したがって、すべての原稿画像を、それぞれの原稿画像に対応する複合画像上での識別子３８の位置からその識別子３８のカバーシート３２上での位置に向かうベクトルだけ移動させることにより、原稿画像を結合して読取対象文書３１に対応する画像データを生成することができる。このベクトルをマッピングベクトルと呼ぶこととし、マッピングベクトルは文字認識部１２によって算出される。つまり、文字認識部１２は、複合画像から位置情報を抽出し、その位置情報に基づいてその複合画像に対応する原稿画像の位置として特定する位置特定部として機能している。
【００３６】
図１０は、本実施の形態における複合画像とカバーシートとの対応関係を模式的に示す図である。図１１は、本実施の形態におけるマッピングベクトルを模式的に示す図である。
【００３７】
図１０では、複合画像４３上に、「Ｊ２」、「Ｄ４」、「Ｇ６」および「Ｚ９」の４つの識別子３８を認識できた場合を示している。図１０において、複合画像４３上のこれらの識別子３８の位置は、「ｊ２」、「ｄ４」、「ｇ６」および「ｚ９」と表されている。
【００３８】
図面読取システムは、カバーシート３２の位置情報３７が記載された文書配置領域４４におけるそれぞれの識別子３８の位置４５を記憶している。これらの位置情報に基づいて、図面読取システムは、複合画像４３上の識別子３８の位置４２から文書配置領域４４内の識別子３８の位置４５に向かうそれぞれのベクトルをＶ１、Ｖ２、Ｖ３およびＶ４を算出する。
【００３９】
１つの複合画像について文字認識を行って、１つ以上の識別子３８を認識できればその複合画像４３の位置を判別できる。また、１つの複合画像４３の中に複数の識別子３８を認識できれば、複合画像４３の位置の判別精度を高めることができる。
【００４０】
たとえば読取対象文書３１に、識別子３８と同じ文字列が含まれている場合、複合画像４３の位置を誤って判別してしまう可能性がある。しかし、１つの複合画像から３以上の識別子３８を認識できれば、１つだけマッピングベクトルが異なることとなるため、誤認識した文字列を位置の判別から除外することができる。
【００４１】
図１０の例では、複合画像４３上で認識した「Ｚ９」という識別子３８の位置４２から、文書配置領域４４内の「Ｚ９」という識別子３８の位置４５に向かうベクトルＶ４は、他のベクトルＶ１、Ｖ２およびＶ３に対して著しく異なっている。そこで、このベクトルＶ４はマッピングベクトルの算出には用いないこととし、ベクトルＶ１，Ｖ２およびＶ３の平均のベクトルＶをマッピングベクトルとする。あるベクトルが他のベクトルと著しく異なっているか否かは、たとえば他のベクトルの平均との差のベクトルや、他のベクトルとの差のベクトルうち長さが最も長いものの長さが所定の長さよりも大きいか否かによって判定することができる。
【００４２】
次に、複合画像４３をこのようにして得られたマッピングベクトルＶだけ移動させることにより、複合画像４３の文書配置領域４４内での位置を特定することができる。このような文字認識を、複合画像４３の数だけ繰り返し行い、全ての複合画像および原稿画像について位置を判別する。なお、文字認識が不能で位置が特定できない場合は、その当複合画像を無視する。
【００４３】
また、複合画像４３および原稿画像がカバーシート３２に対して相対的に回転している場合には、複合画像４３上で認識した識別子３８からカバーシート３２上の識別子３８の位置に向かうベクトルを用いて、その回転を補正することもできる。この補正により、画像をスキャンする際にカバーシート３２がそれに挟まれた読取対象文書３１とともに傾いてしまった場合であっても、正しい位置にマッピングできる。
【００４４】
イメージ結合工程Ｓ４では、図面読取システムのデータ結合部１３が複数回に分けたスキャンによって生成された複数の原稿画像を結合する。図面読取システムは、特定された文書配置領域４４内での位置に、すべての原稿画像を配置して結合する。原稿画像の配置には、その原稿画像に対応する複合画像４３のマッピングベクトルを用いる。
【００４５】
原稿画像が重なった領域では、たとえば認識された識別子３８の多い原稿画像を優先して用いる。あるいは原稿画像が重なった領域では、複数の原稿画像の平均をとってもよい。このようにして、すべての原稿画像が結合されたイメージデータが、読取対象文書３１の全体のイメージデータとなる。
【００４６】
図面読取システムは、結合完了後にユーザへ図面結合完了の通知し、たとえばこの全体のイメージデータを電子ファイルとして保存し、あるいは他の装置などに出力する。また、結合した結果、原稿画像が不足している場合は、ユーザへ原稿画像が不足している旨のウォーニングを通知する。
【００４７】
このように、本実施の形態の図面読取システムを用いると、ユーザはスキャナの最大スキャン範囲よりも大きい文書のイメージデータを作成する際に、複数回に分けてスキャンしたあとに手作業でつなぎ合わせる必要がない。また、ユーザは、読み取る位置を特定する必要もない。このため、読取対象文書の全体のイメージデータは容易に作成でき、作業に要する手間や、つなぎ合わせの際のずれなどが抑制される。スキャナの大きさに左右されない点も有益である。
【００４８】
また、読み取る順番、読み取る位置を意識することなく、読取対象文書をスキャンしたとしても、図面読取システムが自動的に全体のイメージデータを作成することができる。この点でも、ユーザの負担が低減される。さらに、読取対象文書の全体のスキャンが完了しているか否かは、図面読取システムによって判定することも可能である。対応する大きさのカバーシート３２さえ作成できれば、たとえば設計図、配置図、配線図、新聞紙面など、どのような紙面であっても分割して読み取って、自動結合することができる。
【００４９】
読取対象文書３１全体のスキャンが完了したか否かを判定するため、図面読取システムは、操作画面１１に画像を取得した領域を表示してもよい。これにより、読み取りの抜けを防止でき、効率的にスキャン作業ができる。また、あらかじめ読取対象文書３１の大きさを図面読取システムに入力しておくことにより、読取対象文書３１の全体の読み取りが完了したか否かを、図面読取システムに判定させることもできる。
【００５０】
そして、カバーシート３２に記載する位置情報は、文字以外であってもよく、位置を特定できれば、格子３９が記載されていなくてもよい。また、ドロップアウトカラーは、可視光の波長の範囲に限定されるものではない。たとえばドロップアウトカラーとして、可視光の波長の範囲以外のたとえば紫外線の領域の波長の光を反射する「色」を用いてもよい。この場合、スキャナの光源としてその紫外線の波長の光を発するものを用いることにより、そのドロップアウトカラーで記載された識別子を読み取り可能である。このように可視光の波長の範囲以外の「色」をドロップアウトカラーとすることにより、写真などのカラーの読取対象文書を読み取ることもできる。
【図面の簡単な説明】
【００５１】
【図１】本発明に係る分割スキャン方法の一実施の形態における図面読取システムのブロック図である。
【図２】本発明に係る分割スキャン方法の一実施の形態におけるフローチャートである。
【図３】本発明に係る分割スキャン方法の一実施の形態におけるカバーシートを読取対象原稿とともに示す斜視図である。
【図４】本発明に係る分割スキャン方法の一実施の形態におけるカバーシートの一部拡大平面図である。
【図５】本発明に係る分割スキャン方法の一実施の形態におけるカバーシートに読取対象文書を挟んで固定した状態の平面図である。
【図６】本発明に係る分割スキャン方法の一実施の形態におけるカバーシートに読取対象文書を挟んで固定した状態の断面図である。
【図７】本発明に係る分割スキャン方法の一実施の形態における分割スキャン工程のフローチャートである。
【図８】本発明に係る分割スキャン方法の一実施の形態における位置特定工程のフローチャートである。
【図９】本発明に係る分割スキャン方法の一実施の形態におけるカバーシートに記載された位置情報の拡大平面図である。
【図１０】本発明に係る分割スキャン方法の一実施の形態における複合画像とカバーシートとの対応関係を模式的に示す図である。
【図１１】本発明に係る分割スキャン方法の一実施の形態におけるマッピングベクトルを模式的に示す図である。
【符号の説明】
【００５２】
１０…本体、１１…操作画面、１２…文字認識部、１３…データ結合部、１４…ファイル作成部、１５…ユーザＩＦ作成部、１６…スキャナ制御部、１７…イベント制御部、１８…一時記憶部、１９…スキャナ、２３…読取窓、３１…読取対象文書、３２…カバーシート、３３，３４…透明なシート、３６…固定具、３７…位置情報、３８…識別子、４１…レイアウト領域、４３…複合画像、４４…文書配置領域、４５…位置
【図１】
2010068381.tif 000003
【図２】
2010068381.tif 000004
【図３】
2010068381.tif 000005
【図４】
2010068381.tif 000006
【図５】
2010068381.tif 000007
【図６】
2010068381.tif 000008
【図７】
2010068381.tif 000009
【図８】
2010068381.tif 000010
【図９】
2010068381.tif 000011
【図１０】
2010068381.tif 000012
【図１１】
2010068381.tif 000013